(57)【要約】【課題】簡単な構造で、かつ迅速にループ状のつまみを作成することが可能である。【解決手段】テープのつまみ作成具１０は、平面状のテープセット面１１ａを有しテープカッター９０に装着されるガイド板１１と、テープセット面１１ａの後端縁に対して上方位置に移動可能な鋸刃状の可動切断刃１２と、可動切断刃１２を回動可能に保持し接着位置と切断位置に移動可能に配置される保持板１３と、保持板１３の移動に応じて可動切断刃１２を回動する作動機構１４とを備え、保持板１３を切断位置にして作動機構１４により可動切断刃１２を立てた状態で、テープカッター９０から引き出したテープ９２を可動切断刃１２により切断し、保持板１３を接着位置に移動させるに従い作動機構１４により可動切断刃１２を回転させ、テープセット面１２ａの後端縁に対して上方に位置させてテープ９２の切断部９２ａを、テープセット面１１ａの後方位置のテープ９２に接着させてループ状のつまみ９２ｂを作成する。【選択図】図２
2012218924.tif 000002
【特許請求の範囲】
【請求項１】
平面状のテープセット面を有しテープカッターに装着されるガイド板と、
前記テープセット面の後端縁に対して上方位置に移動可能な鋸刃状の可動切断刃と、
前記可動切断刃を回動可能に保持し接着位置と切断位置に移動可能に配置される保持板と、
前記保持板の移動に応じて前記可動切断刃を回動する作動機構とを備え、
前記保持板を切断位置にして前記作動機構により前記可動切断刃を立てた状態で、前記テープカッターから引き出したテープを前記可動切断刃により切断し、
前記保持板を接着位置に移動させるに従い前記作動機構により前記可動切断刃を回転させ、前記テープセット面の後端縁に対して上方に位置させて前記テープの切断部を、前記テープセット面の後方位置のテープに接着させてループ状のつまみを作成することを特徴とするテープのつまみ作成具。
【請求項２】
前記作動機構は、
前記保持板に回転可能に設けられた回転軸と、
前記可動切断刃に固定された固定軸と、
前記回転軸と前記固定軸に固定され前記ガイド板に揺動可能に支持された作動アームと、
前記保持板を常に切断位置方向に付勢する保持板付勢手段とを備え、
前記保持板付勢手段の付勢力に対向して前記保持板を接着位置に移動させるに従い前記作動アームにより前記可動切断刃が回転して前記テープセット面の後端縁に対して上方に位置し、
前記保持板を接着位置に位置させる力の解除で、前記保持板付勢手段の付勢力により前記保持板を切断位置の方向に移動させ前記作動アームにより前記可動切断刃が回転して切断位置に位置することを特徴とする請求項１に記載のテープのつまみ作成具。
【請求項３】
前記可動切断刃を接着位置から離間させる方向に付勢する可動切断刃付勢手段を備えることを特徴とする請求項１または請求項２に記載のテープのつまみ作成具。
【請求項４】
テープを内部に収納し回転可能に軸支する収納部と、
前記収納部の下流側に連設されたテープ切断部とを有し、
前記テープ切断部に請求項１乃至請求項３のいずれか１項に記載のテープのつまみ作成具が装着されていることを特徴とするテープカッタ−。
【発明の詳細な説明】
【技術分野】
【０００１】
この発明は、一面に粘着剤が塗布されたテープにつまみを作成するテープのつまみ作成具及びテープカッターに関する。
【背景技術】
【０００２】
一面に粘着剤が塗布されたテープは、家庭用、事務用、商業用、工業用等の各種用途に広く汎用されている。しかし、使用目的によっては一旦粘着されたテープを用済み後に引剥がしたいことがしばしば発生する。例えば、商店・百貨店・スーパー等での買物の商品包装の封、書類・図面等の一時的位置決め、ポスター・表等の掲示等である。
このような場合、テープの端部に粘着剤が露出していないつまみを設けこれを引張ることにより、引剥しが容易に可能となるので、従来からこのつまみを形成するために各種の技術があった。
【先行技術文献】
【特許文献】
【０００３】
【特許文献１】特開２０１１−１６６６５号公報
【特許文献２】特開２００８−２４５０３号公報
【特許文献３】特開２００６−３１２５３１号公報
【特許文献４】特開２００６−２４８７７６号公報
【特許文献５】特開２００２−１４５５１１号公報
【特許文献６】特開２００１−１９９６１９号公報
【特許文献７】特開平１１−１００１６２号公報
【発明の概要】
【発明が解決しようとする課題】
【０００４】
ところで、従来のつまみを形成するために各種の技術では、構造が複雑で、かつ迅速にループ状のつまみを作成することが困難であった。
【０００５】
この発明は、かかる実情に鑑みてなされたもので、簡単な構造で、かつ迅速にループ状のつまみを作成することが可能なテープのつまみ作成具及びテープカッターを提供することを目的としている。
【課題を解決するための手段】
【０００６】
前記課題を解決し、かつ目的を達成するために、この発明は、以下のように構成した。
【０００７】
請求項１に記載の発明は、平面状のテープセット面を有しテープカッターに装着されるガイド板と、前記テープセット面の後端縁に対して上方位置に移動可能な鋸刃状の可動切断刃と、前記可動切断刃を回動可能に保持し接着位置と切断位置に移動可能に配置される保持板と、前記保持板の移動に応じて前記可動切断刃を回動する作動機構とを備え、前記保持板を切断位置にして前記作動機構により前記可動切断刃を立てた状態で、前記テープカッターから引き出したテープを前記可動切断刃により切断し、前記保持板を接着位置に移動させるに従い前記作動機構により前記可動切断刃を回転させ、前記テープセット面の後端縁に対して上方に位置させて前記テープの切断部を、前記テープセット面の後方位置のテープに接着させてループ状のつまみを作成することを特徴とするテープのつまみ作成具である。
【０００８】
請求項２に記載の発明は、前記作動機構は、前記保持板に回転可能に設けられた回転軸と、前記可動切断刃に固定された固定軸と、前記回転軸と前記固定軸に固定され前記ガイド板に揺動可能に支持された作動アームと、前記保持板を常に切断位置方向に付勢する保持板付勢手段とを備え、前記保持板付勢手段の付勢力に対向して前記保持板を接着位置に移動させるに従い前記作動アームにより前記可動切断刃が回転して前記テープセット面の後端縁に対して上方に位置し、前記保持板を接着位置に位置させる力の解除で、前記保持板付勢手段の付勢力により前記保持板を切断位置の方向に移動させ前記作動アームにより前記可動切断刃が回転して切断位置に位置することを特徴とする請求項１に記載のテープのつまみ作成具である。
【０００９】
請求項３に記載の発明は、前記可動切断刃を接着位置から離間させる方向に付勢する可動切断刃付勢手段を備えることを特徴とする請求項１または請求項２に記載のテープのつまみ作成具である。
【００１０】
請求項４に記載の発明は、テープを内部に収納し回転可能に軸支する収納部と、前記収納部の下流側に連設されたテープ切断部とを有し、前記テープ切断部に請求項１乃至請求項３のいずれか１項に記載のテープのつまみ作成具が装着されていることを特徴とするテープカッターである。
【発明の効果】
【００１１】
前記構成により、この発明は、以下のような効果を有する。
【００１２】
請求項１に記載の発明では、保持板を切断位置にして作動機構により可動切断刃を立てた状態で、テープカッターから引き出したテープを可動切断刃により切断し、保持板を接着位置に移動させるに従い作動機構により可動切断刃を回転させる簡単な操作で、テープセット面の後端縁に対して上方に位置させてテープの切断部を、テープセット面の後方位置のテープに接着させ、迅速にループ状のつまみを作成することができる。
【００１３】
請求項２に記載の発明では、保持板付勢手段の付勢力に対向して保持板を接着位置に移動させるに従い作動アームにより可動切断刃が回転してテープセット面の後端縁に対して上方に位置し、テープの切断部を、テープセット面の後方位置のテープに接着させ、迅速にループ状のつまみを作成することができる。そして、保持板を接着位置に位置させる力を解除することで、保持板付勢手段の付勢力により保持板を切断位置の方向に移動させ作動アームにより可動切断刃が回転して切断位置に位置し、テープカッターから引き出したテープを可動切断刃により切断することができる。
【００１４】
請求項３に記載の発明では、保持板を接着位置に位置させる力を解除することで、可動切断刃付勢手段により可動切断刃を接着位置から離間させることができる。
【００１５】
請求項４に記載の発明では、請求項１乃至請求項３のいずれか１項に記載のテープのつまみ作成具をテープカッターに装着し、テープカッターの収納部からテープを引き出し、テープのつまみ作成具によって簡単な構造で、迅速にループ状のつまみを作成することができる。
【図面の簡単な説明】
【００１６】
【図１】テープのつまみ作成具を備えたテープカッターの斜視図である。
【図２】テープを切断する状態の側面図である。
【図３】テープをループ状にする状態を説明する図である。
【図４】テープをループ状にする状態を説明する拡大図である。
【発明を実施するための形態】
【００１７】
以下、この発明のテープのつまみ作成具及びテープカッターの実施の形態について説明する。この発明の実施の形態は、発明の最も好ましい形態を示すものであり、この発明はこれに限定されない。
【００１８】
この実施の形態のテープのつまみ作成具及びテープカッターを、図１乃至図４に基づいて説明する。図１はテープのつまみ作成具を備えたテープカッターの斜視図、図２はテープを切断する状態の側面図、図３はテープをループ状にする状態を説明する図、図４はテープをループ状にする状態を説明する拡大図である。
【００１９】
このテープのつまみ作成具１０は、テープ９２にループ状のつまみを作成する場合には、テープカッター９０に装着して使用される。テープカッター９０はテープ切断部９１を有し、テープのつまみ作成具１０はテープカッター９０の収納部からテープ９２を引き出し、テープ９２にループ状のつまみを作成する。
【００２０】
このテープのつまみ作成具１０は、平面状のテープセット面１１ａを有しテープカッターに装着されるガイド板１１と、テープセット面１１ａの後端縁に対して上方位置に移動可能な鋸刃状の可動切断刃１２と、可動切断刃１２を回動可能に保持し接着位置と切断位置に移動可能に配置される保持板１３と、保持板１３の移動に応じて可動切断刃１２を回動する作動機構１４とを備える。
【００２１】
ガイド板１１は、例えば樹脂、金属などで成形され、テープカッター９０のテープ切断部９１に装着するための取付部１１ｂを有し、この取付部１１ｂをビス９４などによってテープ切断部９１に固定する。
【００２２】
可動切断刃１２は、金属板よって形成され、基部１２ａが保持板１３に固定された支持軸１５に回動可能に設けられ、先端部１２ｂが鋸刃状になっている。
【００２３】
保持板１３は、例えば樹脂、金属などで成形され、ベース板２０に支持軸２１を介して回動可能に設けられている。ベース板２０は、ビスなどによってガイド板１１に固定されている。保持板１３の先端部に支持軸１５が固定され、この支持軸１５に可動切断刃１２の基部１２ａが回動可能に設けられている。
【００２４】
作動機構１４は、保持板１３に回転可能に設けられた回転軸３０と、可動切断刃１２に固定された固定軸３１と、回転軸３０と固定軸３１に固定されガイド板１１に揺動可能に支持された作動アーム３２と、保持板１３を常に切断位置方向に付勢する保持板付勢手段３３とを備えている。この実施の形態では、可動切断刃１２に固定軸３１を固定しているが、固定軸３１は可動切断刃１２に添え当て、可動切断刃１２を押して回転させるようにしてもよい。また、可動切断刃１２を揺動可能に支持するようにしてもよい。
【００２５】
保持板付勢手段３３は、コイルスプリングで構成され、このコイルスプリングは、回転軸３０に装着され、一端部３３ａを作動アーム３２に係止し、他端部３３ｂを保持板１３に係止し、保持板１３を常に切断位置方向に付勢している。
【００２６】
また、テープのつまみ作成具１０は、可動切断刃１２を接着位置から離間させる方向に付勢する可動切断刃付勢手段３４を備える。この可動切断刃付勢手段３４は、板ばねで構成され、可動切断刃付勢手段３４の板ばねの基部３４ａが、保持板１３に固定され、先端部３４ｂが可動切断刃１２を接着位置から離間させる方向に付勢している。
【００２７】
このテープのつまみ作成具１０を用いてテープ９２にループ状のつまみを作成する場合には、図２に示すように、テープカッター９０の収納部からテープ９２を引き出し、テープ９２を切断位置に位置する可動切断刃１２によって切断する（図３（ａ））。この切断状態では、テープ９２の接着面９２ｃがテープセット面１１ａに接着しており、切断部９２ａの接着面９２ｃが可動切断刃１２に接着する（図４（ａ））。
【００２８】
そして、保持板１３を指によって押すなどによってガイド板１１に近接させると、保持板付勢手段３３の付勢力に対向して保持板１３を接着位置に移動し、この保持板１３の移動に従い作動アーム３２が回転軸３０により引かれて移動するとともに、作動アーム３２により固定軸３１が押されて可動切断刃１２が回転し、可動切断刃１２の鋸刃状の先端部１２ｂがガイド板１１のテープセット面１１ａの後端縁に対して上方に位置する（図３（ｂ））。
【００２９】
このようにして、保持板１３を接着位置に移動させるに従い、可動切断刃付勢手段３４の板ばねが、保持板１３によって付勢力に抗して圧縮される。このとき、可動切断刃１２が、作動アーム３２によって可動切断刃付勢手段３４の板ばねの付勢力に抗して接着位置の方向に移動される。
【００３０】
可動切断刃１２の鋸刃状の先端部１２ｂには、テープ９２の切断部９２ａが接着しており、先端部１２ｂがガイド板１１のテープセット面１１ａの後端縁に対して上方に位置することで、テープ９２がループ状になって切断部９２ａがテープセット面１１ａの後端縁の位置でテープ９２に接着する（図３（ｂ））。この接着状態では、テープ９２の接着面９２ｃがテープセット面１１ａに接着しており、切断部９２ａの接着面９２ｃが可動切断刃１２によって押されてテープ９２がループ状になり、テープセット面１１ａより上方の位置でテープ９２の接着面９２ｃに接着する（図４（ｂ））。
【００３１】
この状態で、指などによって保持板１３を接着位置に位置させている力を解除すると、保持板付勢手段３３の付勢力により保持板１３を切断位置の方向に移動する。この保持板１３の移動にともなって、回転軸３０により作動アーム３２が押されて切断位置の方向に回転して移動し、作動アーム３２に固定された固定軸３１により可動切断刃１２が回転して切断位置に位置する（図３（ｃ））。この可動切断刃１２が回転して切断位置に復帰した状態では、テープ９２の接着面９２ｃがテープセット面１１ａに接着しており、可動切断刃１２が切断部９２ａの接着面９２ｃから離間し、テープ９２がループ状になりつまみ９２ｂが形成される（図４（ｃ））。
【００３２】
このとき、可動切断刃付勢手段３４の板ばねの先端部が、可動切断刃１２を接着位置から離間させる方向に付勢しており、可動切断刃１２の鋸刃状の先端部１２ｂがテープ９２の切断部９２ａから離間して切断位置に復帰していることで（図３（ｃ）、図４（ｃ））、ループ状のつまみ９２ｂを摘みテープ９２をテープカッター９０から引き出して可動切断刃１２により切断することができる。
【００３３】
このように、保持板１３を切断位置にして作動機構１４により可動切断刃１２を立てた状態で、テープカッター９０から引き出したテープ９２を可動切断刃１２により切断し、保持板１３を接着位置に移動させるに従い作動機構１４により可動切断刃１２を回転させ、テープセット面１１ａの後端縁に対して上方に位置させてテープ９２の切断部９２ｂを、テープセット面１１ａの後方位置のテープ９２に接着させ、迅速にループ状のつまみ９２ｂを作成することができる。
【００３４】
また、保持板付勢手段３３の付勢力に対向して保持板１３を接着位置に移動させるに従い作動アーム３２により可動切断刃１２が回転してテープセット面１１ａの後端縁に対して上方に位置し、テープ９２の切断部９２ａを、テープセット面１１ａの後方位置のテープ９２に接着させ、迅速にループ状のつまみ９２ｂを作成することができる。そして、保持板１３を接着位置に位置させる力を解除することで、保持板付勢手段３３の付勢力により保持板１３を切断位置の方向に移動させ作動アーム３２により可動切断刃１２が回転して切断位置に位置し、テープカッター９０から引き出したテープ９２を可動切断刃１２により切断することができ、簡単な構造で、迅速にループ状のつまみを作成することができる。
【００３５】
この実施の形態のテープのつまみ作成具１０は、既存のテープカッターにも容易に装着可能であり、既存のテープカッターの収納部からテープを引き出し、テープのつまみ作成具によって簡単な構造で、迅速にループ状のつまみを作成することができる。
【産業上の利用可能性】
【００３６】
この発明は、一面に粘着剤が塗布されたテープにつまみを作成するテープのつまみ作成具及びテープカッターに適用可能であり、簡単な構造で、かつ迅速にループ状のつまみを作成することが可能である。
【符号の説明】
【００３７】
１０  テープのつまみ作成具
１１  ガイド板
１１ａ  テープセット面
１１ｂ  取付部
１２  可動切断刃
１２ａ  基部
１２ｂ  先端部
１３  保持板
１４  作動機構
１５  支持軸
２０  ベース板
２１  支持軸
３０  回転軸
３１  固定軸
３２  作動アーム
３３  保持板付勢手段
３４  可動切断刃付勢手段
９０  テープカッター
９１  テープ切断部
９２  テープ
９２ａ  テープ９２の切断部
９２ｂ  テープ９２のつまみ
９２ｃ  テープ９２の接着面
【図１】
2012218924.tif 000003
【図２】
2012218924.tif 000004
【図３】
2012218924.tif 000005
【図４】
2012218924.tif 000006
【手続補正書】
【提出日】平成23年11月17日(2011.11.17)
【手続補正１】
【補正対象書類名】特許請求の範囲
【補正対象項目名】全文
【補正方法】変更
【補正の内容】
【特許請求の範囲】
【請求項１】
平面状のテープセット面を有しテープカッターに装着されるガイド板と、
前記テープセット面の後端縁に対して上方位置に移動可能な鋸刃状の可動切断刃と、
前記可動切断刃を回転可能に保持し接着位置と切断位置に移動可能に配置される保持板と、
前記保持板の移動に応じて前記可動切断刃を回転する作動機構と、
を備え、
前記保持板を切断位置にして前記作動機構により前記可動切断刃を立てた状態で、前記テープカッターから引き出したテープを前記テープセット面に接着させた状態で前記可動切断刃の先端部により切断し、
前記保持板を接着位置に移動させるに従い前記作動機構により前記可動切断刃を立てた状態から回転させ、前記可動切断刃の先端部を前記テープセット面の後端縁に対して上方に位置させ、
前記可動切断刃の先端部に付着する前記テープの切断部を、前記テープセット面の後方位置のテープに接着させてループ状のつまみを作成し、
前記作動機構により前記保持板を接着位置から切断位置へ移動させると、前記可動切断刃が逆方向に回転し、前記テープの切断部から剥離し、
前記可動切断刃を立てた状態の切断位置へ復帰することを特徴とするテープのつまみ作成具。
【請求項２】
前記作動機構は、
前記保持板に回転可能に設けられた回転軸と、
前記可動切断刃に固定された固定軸と、
前記回転軸と前記固定軸に固定され前記ガイド板に揺動可能に支持された作動アームと、
前記保持板を常に切断位置方向に付勢する保持板付勢手段とを備え、
前記保持板付勢手段の付勢力に対向して前記保持板を接着位置に移動させるに従い前記作動アームにより前記可動切断刃が回転して前記テープセット面の後端縁に対して上方に位置し、
前記保持板を接着位置に位置させる力の解除で、前記保持板付勢手段の付勢力により前記保持板を切断位置の方向に移動させ前記作動アームにより前記可動切断刃が回転して切断位置に位置することを特徴とする請求項１に記載のテープのつまみ作成具。
【請求項３】
前記可動切断刃を接着位置から離間させる方向に付勢する可動切断刃付勢手段を備えることを特徴とする請求項１または請求項２に記載のテープのつまみ作成具。
【請求項４】
テープを内部に収納し回転可能に軸支する収納部と、
前記収納部の下流側に連設されたテープ切断部とを有し、
前記テープ切断部に請求項１乃至請求項３のいずれか１項に記載のテープのつまみ作成具が装着されていることを特徴とするテープカッタ−。
【手続補正２】
【補正対象書類名】明細書
【補正対象項目名】０００７
【補正方法】変更
【補正の内容】
【０００７】
請求項１に記載の発明は、平面状のテープセット面を有しテープカッターに装着されるガイド板と、前記テープセット面の後端縁に対して上方位置に移動可能な鋸刃状の可動切断刃と、前記可動切断刃を回転可能に保持し接着位置と切断位置に移動可能に配置される保持板と、前記保持板の移動に応じて前記可動切断刃を回転する作動機構と、を備え、前記保持板を切断位置にして前記作動機構により前記可動切断刃を立てた状態で、前記テープカッターから引き出したテープを前記テープセット面に接着させた状態で前記可動切断刃の先端部により切断し、前記保持板を接着位置に移動させるに従い前記作動機構により前記可動切断刃を立てた状態から回転させ、前記可動切断刃の先端部を前記テープセット面の後端縁に対して上方に位置させ、前記可動切断刃の先端部に付着する前記テープの切断部を、前記テープセット面の後方位置のテープに接着させてループ状のつまみを作成し、前記作動機構により前記保持板を接着位置から切断位置へ移動させると、前記可動切断刃が逆方向に回転し、前記テープの切断部から剥離し、前記可動切断刃を立てた状態の切断位置へ復帰することを特徴とするテープのつまみ作成具である。
【手続補正３】
【補正対象書類名】明細書
【補正対象項目名】００２０
【補正方法】変更
【補正の内容】
【００２０】
このテープのつまみ作成具１０は、平面状のテープセット面１１ａを有しテープカッターに装着されるガイド板１１と、テープセット面１１ａの後端縁に対して上方位置に移動可能な鋸刃状の可動切断刃１２と、可動切断刃１２を回転可能に保持し接着位置と切断位置に移動可能に配置される保持板１３と、保持板１３の移動に応じて可動切断刃１２を回転する作動機構１４とを備える。
【手続補正４】
【補正対象書類名】明細書
【補正対象項目名】００２２
【補正方法】変更
【補正の内容】
【００２２】
可動切断刃１２は、金属板よって形成され、基部１２ａが保持板１３に固定された支持軸１５に回転可能に設けられ、先端部１２ｂが鋸刃状になっている。
【手続補正５】
【補正対象書類名】明細書
【補正対象項目名】００２３
【補正方法】変更
【補正の内容】
【００２３】
保持板１３は、例えば樹脂、金属などで成形され、ベース板２０に支持軸２１を介して回転可能に設けられている。ベース板２０は、ビスなどによってガイド板１１に固定されている。保持板１３の先端部に支持軸１５が固定され、この支持軸１５に可動切断刃１２の基部１２ａが回転可能に設けられている。
【手続補正書】
【提出日】平成23年12月19日(2011.12.19)
【手続補正１】
【補正対象書類名】特許請求の範囲
【補正対象項目名】全文
【補正方法】変更
【補正の内容】
【特許請求の範囲】
【請求項１】
平面状のテープセット面を有しテープカッターに装着されるガイド板と、
前記テープセット面の後端縁に対して上方位置に移動可能な鋸刃状の可動切断刃と、
前記可動切断刃を回転可能に保持し接着位置と切断位置に移動可能に配置される保持板と、
前記保持板の移動に応じて前記可動切断刃を回転する作動機構と、
を備え、
前記保持板の先端部に支持軸が固定され、この支持軸に前記可動切断刃の基部が回動可能に設けられ、
前記保持板を切断位置にして前記作動機構により前記可動切断刃を立てた状態で、前記テープカッターから引き出したテープを前記テープセット面に接着させた状態で前記可動切断刃の先端部により切断し、
前記保持板を接着位置に移動させるに従い前記作動機構により前記可動切断刃を立てた状態から前記支持軸を支点にして前記基部を回転させ、前記可動切断刃の先端部を前記テープセット面の後端縁に対して上方に位置させ、
前記可動切断刃の先端部に付着する前記テープの切断部を、前記テープセット面の後方位置のテープに接着させてループ状のつまみを作成し、
前記作動機構により前記保持板を接着位置から切断位置へ移動させると、前記可動切断刃を逆方向に前記支持軸を支点にして前記基部を回転させ、前記テープの切断部から剥離し、
前記可動切断刃を立てた状態の切断位置へ復帰することを特徴とするテープのつまみ作成具。
【請求項２】
前記作動機構は、
前記保持板に回転可能に設けられた回転軸と、
前記可動切断刃に固定された固定軸と、
前記回転軸と前記固定軸に固定され前記ガイド板に揺動可能に支持された作動アームと、
前記保持板を常に切断位置方向に付勢する保持板付勢手段とを備え、
前記保持板付勢手段の付勢力に対向して前記保持板を接着位置に移動させるに従い前記作動アームにより前記可動切断刃を前記支持軸を支点にして前記基部を回転させ、前記テープセット面の後端縁に対して上方に位置し、
前記保持板を接着位置に位置させる力の解除で、前記保持板付勢手段の付勢力により前記保持板を切断位置の方向に移動させ前記作動アームにより前記可動切断刃を逆方向に前記支持軸を支点にして前記基部を回転させ、切断位置に位置することを特徴とする請求項１に記載のテープのつまみ作成具。
【請求項３】
前記可動切断刃を接着位置から離間させる方向に付勢する可動切断刃付勢手段を備えることを特徴とする請求項１または請求項２に記載のテープのつまみ作成具。
【請求項４】
テープを内部に収納し回転可能に軸支する収納部と、
前記収納部の下流側に連設されたテープ切断部とを有し、
前記テープ切断部に請求項１乃至請求項３のいずれか１項に記載のテープのつまみ作成具が装着されていることを特徴とするテープカッタ−。
【手続補正２】
【補正対象書類名】明細書
【補正対象項目名】０００７
【補正方法】変更
【補正の内容】
【０００７】
請求項１に記載の発明は、平面状のテープセット面を有しテープカッターに装着されるガイド板と、前記テープセット面の後端縁に対して上方位置に移動可能な鋸刃状の可動切断刃と、前記可動切断刃を回転可能に保持し接着位置と切断位置に移動可能に配置される保持板と、前記保持板の移動に応じて前記可動切断刃を回転する作動機構と、を備え、前記保持板の先端部に支持軸が固定され、この支持軸に前記可動切断刃の基部が回動可能に設けられ、前記保持板を切断位置にして前記作動機構により前記可動切断刃を立てた状態で、前記テープカッターから引き出したテープを前記テープセット面に接着させた状態で前記可動切断刃の先端部により切断し、前記保持板を接着位置に移動させるに従い前記作動機構により前記可動切断刃を立てた状態から前記支持軸を支点にして前記基部を回転させ、前記可動切断刃の先端部を前記テープセット面の後端縁に対して上方に位置させ、前記可動切断刃の先端部に付着する前記テープの切断部を、前記テープセット面の後方位置のテープに接着させてループ状のつまみを作成し、前記作動機構により前記保持板を接着位置から切断位置へ移動させると、前記可動切断刃を逆方向に前記支持軸を支点にして前記基部を回転させ、前記テープの切断部から剥離し、前記可動切断刃を立てた状態の切断位置へ復帰することを特徴とするテープのつまみ作成具である。
【手続補正３】
【補正対象書類名】明細書
【補正対象項目名】０００８
【補正方法】変更
【補正の内容】
【０００８】
請求項２に記載の発明は、前記作動機構は、前記保持板に回転可能に設けられた回転軸と、前記可動切断刃に固定された固定軸と、前記回転軸と前記固定軸に固定され前記ガイド板に揺動可能に支持された作動アームと、前記保持板を常に切断位置方向に付勢する保持板付勢手段とを備え、前記保持板付勢手段の付勢力に対向して前記保持板を接着位置に移動させるに従い前記作動アームにより前記可動切断刃を前記支持軸を支点にして前記基部を回転させ、前記テープセット面の後端縁に対して上方に位置し、前記保持板を接着位置に位置させる力の解除で、前記保持板付勢手段の付勢力により前記保持板を切断位置の方向に移動させ前記作動アームにより前記可動切断刃を逆方向に前記支持軸を支点にして前記基部を回転させ、切断位置に位置することを特徴とする請求項１に記載のテープのつまみ作成具である。